(57)【特許請求の範囲】
【請求項１】
前面に形成され、かつディスクを外部から筐体内部（２４）に挿入するディスク挿入口（２２ａ）と、外部から筐体内部（２４）に空気を吸入する吸入口（２１ｅ）と、当該筐体（２）内部に吸入された空気を外部に排気する排出口（２１ｆ）とを有する筐体（２）と、
前記筐体内部（２４）のうち、前記ディスク挿入口（２２ａ）に対向する位置に、当該筐体内部（２４）に対して略密閉して配置され、前記ディスク挿入口（２２ａ）から挿入されたディスクを回転し、少なくとも当該回転するディスクに記録されている情報を読み込むディスク回転装置（３）と、
前記筐体内部（２４）から排出口（２１ｆ）を介して外部に前記吸入口（２１ｅ）から吸入された空気を強制的に排出するファン（４）と、
前記筐体内部（２４）のうち、前記ディスク回転装置（３）に対向する位置に配置され、少なくとも前記ディスク回転装置（３）によるディスクの回転制御、前記回転するディスクに記録されている情報の読込制御および前記ファンの駆動制御を行う制御装置（５）と、
を備えるディスク装置（１）において、
前記吸入口（２１ｅ）および前記排出口（２１ｆ）は、前記筐体（２）のうち、当該吸入口（２１ｅ）から吸入された空気が前記ディスク回転装置（３）と前記制御装置（５）との間を通過し、当該排出口（２１ｆ）から排出できる位置に形成され、
前記ディスク回転装置（３）および前記制御装置（５）のうち、前記空気が通過する部分が空気の流れに沿って略平坦構造であり、
前記制御装置（５）の略平坦構造は、前記ディスク回転装置（３）と対向する面が略平坦な平坦部材（５２）で覆われていることを特徴とするディスク装置（１）。
【請求項２】
前記ディスク回転装置（３）の前記制御装置（５）と対向する面は、略平坦であることを特徴とする請求項１に記載のディスク装置（１）。
【請求項３】
前記ディスク回転装置（３）の前記筐体内部（２４）と連通する開口部（３ｂ）は、閉塞部材（３２）で閉塞されていることを特徴とする請求項１または２に記載のディスク装置（１）。
【請求項５】
前記制御装置（５）に搭載され、前記ディスク回転装置（３）側に突出する電子部品のうち、他の電子部品よりも突出する電子部品（５３）は、中央部よりも端部近傍に配置されていることを特徴とする請求項１〜３のいずれか１つに記載のディスク装置（１）。
【請求項６】
前記筐体（２）は、前記ディスク挿入口（２２ａ）、前記吸入口（２１ｅ）および前記排出口（２１ｆ）を除く前記外部と連通する部分が略密閉されている密閉構造であることを特徴とする請求項１，２，３，５のいずれか１つに記載のディスク装置（１）。
【請求項７】
前記吸入口（２１ｅ）は、前記ディスク装置（１）のうち、前記前面近傍の両側面（２１ａ，２１ｂ）あるいは底面（２１ｄ）の少なくともいずれか一方に１以上形成されていることを特徴とする請求項１，２，３，５，６のいずれか１つに記載のディスク装置（１）。
【請求項８】
前記吸入口（２１ｅ）の面積は、前記排出口（２１ｆ）の面積以上であることを特徴とする請求項１，２，３，５，６，７のいずれか１つに記載のディスク装置（１）。
【発明の詳細な説明】
【技術分野】
【０００１】
本発明は、ディスク装置に関し、さらに詳しくは、外部と、筐体内部との間で空気の循環を行うことができるディスク装置に関するものである。
【背景技術】
【０００２】
従来、挿入されたディスクに記録されている情報の再生あるいはこのディスクへの情報の記録の少なくともいずれか一方を行うディスク装置は、外部と筐体内部との間で空気の循環を行うファンが設けられている。筐体の外部の空気は、このファンが回転することで吸入口を介して筐体内部に吸入され、この筐体内部を通過し、排出口を介して外部に排気される。これにより、外部と、筐体内部との間で空気の循環が行われ、筐体内部を通過する空気による冷却が行われる。
【０００３】
このディスク装置には、ディスク回転装置が備えられている。このディスク回転装置は、筐体内部に挿入されたディスクを回転するスピンドルモータ、この回転するディスクに記録されている情報の読み込みあるいはディスクへの書き込みを行うピックアップ装置、ディスク装置に挿入されたディスクをディスク再生位置まで移動させるローディング装置などの複数の機構を備えるものである。
【０００４】
ところで、ディスク装置が使用される環境によっては、筐体の外部の空気が清浄とは限らず、塵埃が多く含まれる場合がある。従って、筐体内部に入り込んだ塵埃は、この筐体内部に配置されるディスク回転装置にも入り込むこととなる。ここで、ディスク回転装置が備える上記機構、特にピックアップ装置は、この塵埃の影響を受けやすいため、ディスク回転装置に入り込んだ塵埃の量によっては、ディスク回転装置、特にピックアップによる読み込みあるいは書き込みが困難となり、ディスク装置によるディスクの再生不良あるいは記録不良、すなわち動作不良となる虞がある。そこで、特許文献１に示すように、従来のディスク装置においては、高吸熱性遮蔽板によりディスク回転装置を密閉したものが提案されている。
【０００５】
【特許文献１】
特開２００５−５６４６２号公報
【発明の開示】
【発明が解決しようとする課題】
【０００６】
ところで、ディスク回転装置は、ディスク装置の動作中に発熱する。従って、上記特許文献１に示すディスク装置では、ディスク回転装置を密閉構造とするため、ディスク回転装置内に熱がこもりやすくなる。そこで、上記特許文献１では、ディスク回転装置を高吸熱性遮蔽板に囲むことによって筐体（ケース）内部を流れる空気に効率良くディスク回転装置内の熱を伝達させる。
【０００７】
しかしながら、吸入口から筐体内部に吸入された空気が排気口まで円滑に流れず、この筐体内部に滞ると、上記高吸熱性遮蔽板からの熱が空気に伝達され難くなる。つまり、筐体内部を流れる空気の流れが円滑でなければ、密閉構造のディスク回転装置の冷却が十分に行えないという問題がある。
【０００８】
この発明は、上述した課題をその一例として解決するものであって、筐体内部に流入する塵埃による影響を抑制しつつ、筐体内部を通過する空気による冷却効果を十分に発揮することができるディスク装置を提供することを目的とする。
【課題を解決するための手段】
【０００９】
本発明の請求項１に記載のディスク装置は、前面に形成され、かつディスクを外部から筐体内部に挿入するディスク挿入口と、外部から筐体内部に空気を吸入する吸入口と、当該筐体内部に吸入された空気を外部に排気する排出口とを有する筐体と、前記筐体内部のうち、前記ディスク挿入口に対向する位置に、当該筐体内部に対して略密閉して配置され、前記ディスク挿入口から挿入されたディスクを回転し、少なくとも当該回転するディスクに記録されている情報を読み込むディスク回転装置と、前記筐体内部から排出口を介して外部に前記吸入口から吸入された空気を強制的に排出するファンと、前記筐体内部のうち、前記ディスク回転装置に対向する位置に配置され、少なくとも前記ディスク回転装置によるディスクの回転制御、前記回転するディスクに記録されている情報の読込制御および前記ファンの駆動制御を行う制御装置と、を備えるディスク装置において、前記吸入口および前記排出口は、前記筐体のうち、当該吸入口から吸入された空気が前記ディスク回転装置と前記制御装置との間を通過し、当該排出口から排出できる位置に形成され、前記ディスク回転装置および前記制御装置のうち、前記空気が通過する部分が空気の流れに沿って略平坦構造であり、前記制御装置の略平坦構造は、前記ディスク回転装置と対向する面が略平坦な平坦部材で覆われていることを特徴とする。
発明の効果
［００１０］
本発明にかかるディスク装置は、筐体内部に流入する塵埃による影響を抑制しつつ、筐体内部を通過する空気による冷却効果を十分に発揮することができるという効果を奏する。
【図面の簡単な説明】
［００１１］
［図１］図１は、この実施例にかかるディスク装置の構成例を示す図（平面図）である。
［図２］図２は、この実施例にかかるディスク装置の構成例を示す図（正面図）である。
［図３］図３は、この実施例にかかるディスク装置の構成例を示す図（背面図）である。
［図４］図４は、この実施例にかかるディスク装置の構成例を示す図（側面図）である。
［図５］図５は、筐体内部の詳細図である。
［図６］図６は、ディスク回転装置の構成例を示す図である。
［図７］図７は、ディスク装置の背面のコネクタ断面図である。
符号の説明
［００１２］
１  ディスク装置
２  筐体
２１  シャーシ
２１ａ，ｂ  側面部
２１ｃ  背面部
２１ｄ  底面部
２１ｅ  吸入口
２１ｆ  排出口
２１ｇ  開口部
２１ｈ  係止穴
２２  露出板
２２ａ  ディスク挿入口
２２ｂ  イジェクトスイッチ
２２ｃ  シャーシ側の面
２２ｄ，ｆ  突出部
２２ｅ，ｇ  係止突起
２３  上蓋
２３ａ  係止穴
２４  筐体内部
２５  コネクタ
３  ディスク回転装置
３ａ  前面
３ｂ  開口部
３１  ケーブル
３２  閉塞部材
４  ファン
４１  本体部
４１ａ  収納部
４２  回転部
４２ａ  フィン
５  制御装置
５１  基板部
５２  平坦部材
５３  突出電子部品
５４  接続コネクタ
６  密閉部材
７  支持部材
９  密閉部材
Ａ  筐体内部の空気の流れ
Ｂ  制御装置と対向する面
Ｃ  ディスク回転装置と対向する面
【発明を実施するための最良の形態】
【００１３】
以下、この発明につき図面を参照しつつ詳細に説明する。なお、実施の形態によりこの発明が限定されるものではない。また、下記実施の形態における構成要素には、当業者が容易に想定できるもの或いは実質的に同一のものが含まれる。
【００１４】
〔実施の形態１〕
この実施の形態１に係るディスク装置は、少なくとも筐体と、ディスク回転装置と、ファンと、制御装置とを備える。筐体は、ディスク挿入口と、吸入口と、排出口とを有する。このディスク挿入口は、筐体の前面、すなわちディスク装置の前面に形成され、かつディスクを外部から筐体内部に挿入するためのものである。吸入口は、外部から筐体内部に空気を吸入するためのものである。排出口は、この筐体内部に吸入された空気とともに発生した熱を外部に排気するためのものである。この吸入口および排出口は、筐体のうち、吸入口から吸入された空気がディスク回転装置と制御装置との間を通過し、排出口から排出できる位置に形成されている。ディスク回転装置は、筐体内部に対して略密閉して配置されるものである。このディスク回転装置は、ディスク挿入口から挿入されたディスクを回転し、少なくともこの回転するディスクに記録されている情報を読み込むものである。ファンは、筐体内部から排出口を介して外部に吸入口から吸入された空気とともに発生した熱を強制的に排出するものである。制御装置は、筐体内部のうち、ディスク回転装置に対向する位置に配置されるものである。この制御装置は、少なくともディスク回転装置によるディスクの回転制御や、回転するディスクに記録されている情報の読込制御や、ファンの駆動制御を行うものである。このディスク回転装置および制御装置のうち、前記空気が通過する部分が空気の流れに沿って略平坦構造である。
【００１５】
この実施の形態１に係るディスク装置では、上記構成を特徴とすることで、ディスク回転装置が筐体内部にこの筐体内部に対して略密閉して配置されるので、吸入口から吸入された空気に塵埃が含まれていても、ディスク回転装置の内部にこの塵埃が入り込むことを抑制することができる。これにより、筐体内部に流入する塵埃による影響を抑制することができる。また、このディスク回転装置および制御装置のうち、空気が通過する部分は、空気の流れに沿って略平坦構造であるため、吸入口から吸入された空気は、ディスク回転装置と制御装置との間を円滑に通過することができる。つまり、ディスク回転装置と制御装置との間に空気が滞る部分が発生することを抑制することができる。これにより、筐体内部を通過する空気による冷却効果を十分に発揮することができる。
【００１６】
〔実施の形態２〕
この実施の形態２に係るディスク装置は、上記実施の形態１に係るディスク装置において、ディスク回転装置の制御装置と対向する面は、略平坦である。
【００１７】
この実施の形態２に係るディスク装置では、上記構成を特徴とすることで、吸入口から吸入された空気は、ディスク回転装置の制御装置と対向する面上を円滑に排出口に向かって流れる。従って、このディスク回転装置の制御装置と対向する面を介して、ディスク回転装置の熱が筐体内部を通過する空気に伝達されやすくなる。これにより、筐体内部を通過する空気により、ディスク回転装置を十分に冷却することができる。
【００１８】
〔実施の形態３〕
この実施の形態３に係るディスク装置は、上記実施の形態１または２に係るディスク装置において、ディスク回転装置の筐体内部と連通する開口部は、閉塞部材で閉塞されている。
【００１９】
この実施の形態３に係るディスク装置では、上記構成を特徴とすることで、ディスクがディスク回転装置によって回転することで、筐体内部からこのディスク回転装置に吸入口から吸入された空気が吸引されることを抑制することができる。従って、ディスク回転装置の内部に塵埃が入り込むことを抑制することができる。
【００２０】
〔実施の形態４〕
この実施の形態４に係るディスク装置は、上記実施の形態１〜３のいずれか１つに係るディスク装置において、制御装置のディスク回転装置と対向する面は、略平坦な平坦部材で覆われている。
【００２１】
この実施の形態４に係るディスク装置では、上記構成を特徴とすることで、吸入口から吸入された空気は、制御装置のディスク回転装置と対向する面上を円滑に排出口に向かって流れる。従って、この制御装置のディスク回転装置と対向する面を介して、制御装置の熱、すなわち発熱する制御装置に搭載された電子部品からの熱が筐体内部を通過する空気に伝達されやすくなる。これにより、筐体内部を通過する空気により、制御装置を十分に冷却することができる。また、電子部品間などに塵埃が溜まることで、制御装置に塵埃が付着することを抑制することができる。これにより、ディスク装置の動作不良を抑制することができる。
【００２２】
〔実施の形態５〕
この実施の形態５に係るディスク装置は、上記実施の形態１〜４のいずれか１つに係るディスク装置において、制御装置に搭載され、ディスク回転装置側に突出する電子部品のうち、他の電子部品よりも突出する電子部品は、制御装置の中央部よりも端部近傍に配置されている。
【００２３】
この実施の形態５に係るディスク装置では、上記構成を特徴とすることで、吸入口から吸入された空気がディスク回転装置と制御装置との間を通過する際に、この電子部品に衝突し難くなり、流れが滞ることを抑制することができる。従って、筐体内部を通過する空気による冷却効果を十分に発揮することができる。
【００２４】
〔実施の形態６〕
この実施の形態６に係るディスク装置は、上記実施の形態１〜５のいずれか１つに係るディスク装置において、筐体は、ディスク挿入口、吸入口および排出口を除く外部と連通する部分が略密閉されている密閉構造である。
【００２５】
この実施の形態６に係るディスク装置では、上記構成を特徴とすることで、外部の空気は、吸入口のみから吸入され、筐体内部を通過し、排出口のみから外部に排出される。従って、筐体内部に吸入された空気の流れが乱れることを抑制することができる。これにより、吸入口から吸入された空気がディスク回転装置と制御装置との間を確実に通過することができ、筐体内部を通過する空気による冷却効果を十分に発揮することができる。
【００２６】
〔実施の形態７〕
この実施の形態７に係るディスク装置は、上記実施の形態１〜６のいずれか１つに係るディスク装置において、吸入口は、ディスク装置１のうち、前面近傍の両側面あるいは底面の少なくともいずれか一方に１以上形成されている。
【００２７】
この実施の形態７に係るディスク装置では、上記構成を特徴とすることで、ディスク装置が車載用のディスク装置の場合では、吸入口が車両の外部から塵埃が入り込むことがある車室に露出する部分（前面）以外に形成されることとなる。従って、車室に吸入口が形成される場合と比較して、吸入口から吸入された空気に含まれる塵埃が少なくなり、筐体内部に吸入される空気に含まれる塵埃を低減することができる。これにより、筐体内部に塵埃が入り込むことを抑制することができ、ディスク回転装置の内部に塵埃が入り込むことおよび制御装置に塵埃が付着することを抑制できるので、ディスク装置の動作不良を抑制することができる。
【００２８】
〔実施の形態８〕
この実施の形態８に係るディスク装置は、上記実施の形態１〜７のいずれか１つに係るディスク装置において、吸入口の面積は、排出口の面積以上である。
【００２９】
この実施の形態８に係るディスク装置では、上記構成を特徴とすることで、ファンの駆動中における筐体内部と外部との気圧差を低減することができる。従って、筐体内部の気圧が外部の気圧よりも低い場合と比較して、同一吐出量におけるファンの回転数を低減することができる。これにより、ファンの騒音を抑制することができる。
【実施例】
【００３０】
図１〜図４は、この実施例にかかるディスク装置の構成例を示す図である。図５は、筐体内部の詳細図である。また、図６は、ディスク回転装置の構成例を示す図である。また、図７は、ディスク装置の背面のコネクタ断面図である。なお、図５は、筐体の上蓋と露出板とを除いた状態の斜視図である。この実施例では、例えば車室のコンソールパネルに取り付けられる車載用のディスク装置について説明する。また、この実施例では、挿入されたディスクに記録された情報の再生のみを行うことができるディスク装置について説明するが、挿入されたディスクに記録された情報の再生のみならずこの挿入されたディスクへの情報の記録を行うことができるディスク装置であっても良い。また、ディスクは、ＤＶＤ（Digital Versatile Disc）、ＣＤ（Compact Disc）、ＢＤ（Blu-ray Disc）、ＨＤＤＶＤ（High Definition Digital Versatile Disc）などの光ディスクを含むものである。
【００３１】
図１〜図５に示すように、ディスク装置１は、筐体２と、ディスク回転装置３と、ファン４と、制御装置５と、密閉部材６と、支持部材７とにより構成されている。なお、ディスク回転装置３、ファン４、制御装置５は、筐体２の内部である筐体内部２４に収納され、特に、ディスク回転装置３と制御装置５とは対向するように収納される。
【００３２】
筐体２は、図１〜図５に示すようにディスク回転装置３、ファン４、制御装置５をこの筐体２の内部である筐体内部２４に収納するものである。この筐体２は、シャーシ２１と、露出板２２と、上蓋２３とにより構成されている。シャーシ２１は、ディスク装置１の両側面となる側面部２１ａ，ｂと、ディスク装置１の背面となる背面部２１ｃと、ディスク装置１の底面となる底面部２１ｄと、吸入口２１ｅと、排出口２１ｆとにより形成されている。なお、吸入口２１ｅおよび排出口２１ｆは、筐体２のうち、各吸入口２１ｅから吸入された空気が筐体内部２４、すなわちディスク回転装置３と制御装置５との間を通過し、各排出口２１ｆから排出できる位置に形成されている。また、露出板２２は、ディスク装置１の前面となる。また、上蓋２３は、ディスク装置１の上面となる。
【００３３】
シャーシ２１は、金属板により構成されており、ディスク装置１の両側面となる側面部２１ａ，ｂと、ディスク装置１の背面となる背面部２１ｃと、ディスク装置１の底面となる底面部２１ｄとにより形成されている。
【００３４】
側面部２１ａ，ｂには、それぞれ複数の吸入口２１ｅ（この実施例では、各側面部２１ａ，ｂにそれぞれ２箇所）が形成されている。各吸入口２１ｅは、外部と筐体内部２４とを連通し、外部の空気を筐体内部２４に吸入するものである。この各吸入口２１ｅは、各側面部２１ａ，ｂのうち上記露出板２２の近傍に形成されている。つまり、各吸入口２１ｅは、ディスク装置１の前面近傍の両側面に形成されている。
【００３５】
背面部２１ｃには、筐体内部側にファン４と、複数のコネクタ２５とが取り付けられている。この背面部２１ｃには、複数の排出口２１ｆ（この実施例では、３箇所）が形成されている。各排出口２１ｆは、上記ファン４を介して、外部と筐体内部２４とを連通し、各吸入口２１ｅから筐体内部２４に吸入された空気を外部に排出するものである。従って、各吸入口２１ｅから吸入された空気は、矢印Ａに示すように、筐体内部２４、すなわちディスク回転装置３と制御装置５との間を通過し、各排出口２１ｆから排出される。この各排出口２１ｆは、背面部２１ｃの中央部近傍に形成されている。また、複数のコネクタ２５は、それぞれ対向する開口部２１ｇを介して外部に露出している。
【００３６】
底面部２１ｄには、筐体内部側に複数の支持部材７が固定されている。この底面部２１ｄには、その露出板２２の近傍に係止穴２１ｈ（この実施例では、図示は省略するが２箇所）が形成されている。なお、制御装置５は、この支持部材７に固定手段、例えばスクリューを螺合することで、筐体内部２４に支持、固定される。
【００３７】
露出板２２は、シャーシ２１の図示しない前面を覆うものである。この露出板２２は、合成樹脂などで構成されており、図示しないディスクを外部から筐体内部２４、ここではディスク回転装置３の内部に挿入するディスク挿入口２２ａと、挿入されたディスクの外部への搬出指示を行うイジェクトスイッチ２２ｂとが形成されている。このイジェクトスイッチ２２ｂは、制御装置５と接続されており、ユーザがイジェクトスイッチ２２ｂを押すと、制御装置５によりディスク回転装置３の後述する図示しないローディング装置が駆動され、このディスク回転装置３の内部に挿入されたディスクがディスク挿入口２２ａを介して外部に搬出される。
【００３８】
また、この露出板２２は、シャーシ側の面２２ｃに、底面部２１ｄの各係止穴２１ｈとそれぞれ対向するように、突出部２２ｄがシャーシ側に突出して形成されている。この各突出部２２ｄには、各係止穴２１ｈに入り込むことで露出板２２をシャーシ２１に係止する係止突起２２ｅがそれぞれ形成されている。露出板２２は、シャーシ側の面２２ｃに、上蓋２３の各係止穴２３ａとそれぞれ対向するように、突出部２２ｆがシャーシ側に突出して形成されている。この各突出部２２ｆには、各係止穴２３ａに入り込むことで露出板２２を上蓋２３に係止する係止突起２２ｇがそれぞれ形成されている。これら突出部２２ｄ，ｆは、各係止穴２１ｈ，２３ａを覆うように形成されている。つまり、露出板２２がシャーシ２１および上蓋２３に係止された際に、これら各係止穴２１ｈ，２３ａは、露出板２２に形成された各突出部２２ｄ，ｆにより密閉されることとなる。
【００３９】
ここで、露出板２２は、ディスク装置１が図示しない車両に搭載された際に、ディスク装置１のうち車室に露出する部分である。つまり、筐体２は、露出板２２以外の部分、すなわちシャーシ２１および上蓋２３は、車室に露出しない。従って、各吸入口２１ｅも車両の外部から塵埃が入り込むことがある車室に露出せず、車室に各吸入口２１ｅが形成される場合と比較して、各吸入口２１ｅから吸入された空気に含まれる塵埃が少なくなり、筐体内部２４に吸入される空気に含まれる塵埃を低減することができる。これにより、筐体内部２４に塵埃が入り込むことを抑制することができ、筐体内部２４に収納されたディスク回転装置３の内部に塵埃が入り込むことや、制御装置５に塵埃が付着することを抑制できるので、ディスク装置１の動作不良を抑制することができる。
【００４０】
上蓋２３は、シャーシ２１の図示しない上面を覆うものである。この上蓋２３には、金属板で構成されており、その露出板２２の近傍に係止穴２３ａ（この実施例では、２箇所）が形成されている。なお、この上蓋２３は、シャーシ２１の側面部２１ａ，ｂあるいは背面部２１ｃの少なくともいずれか一方に固定手段、例えばスクリューを螺合することで、シャーシ２１に固定される。
【００４１】
なお、上記シャーシ２１、露出板２２、上蓋２３において、外部と筐体内部２４とを連通する穴を極力形成しないことが好ましい。また、外部と筐体内部２４とを連通する穴がある場合は、例えばブラケットや、ゴムなどを穴の筐体内部側に取り付けることや、スクリューを螺合することなどで密閉する。また、筐体内部２４から外部に露出する露出部材と筐体２との間に間隙が形成される場合は、この露出部材と筐体２との間に、この間隙を閉塞する閉塞部材を配置することで、密閉する。例えば、図７に示すように、各コネクタ２５と背面部２１ｃの開口部２１ｇとの間に間隙が形成される場合は、この各コネクタ２５と背面部２１ｃとの間に、例えばスポンジやゴムパッキンなどの密閉部材９を配置する。
【００４２】
これにより、筐体２は、ディスク挿入口２２ａ、各吸入口２１ｅおよび各排出口２１ｆを除く外部と連通する部分が略密閉されている密閉構造となる。従って、外部の空気は、各吸入口２１ｅのみから吸入され、筐体内部２４を通過し、排出口２１ｆのみから外部に排出される。従って、筐体内部２４に吸入された空気の流れが乱れることを抑制することができる。これにより、各吸入口２１ｅから吸入された空気がディスク回転装置３と制御装置５との間を確実に通過することができ、筐体内部２４を通過する空気による冷却効果を十分に発揮することができる。
【００４３】
ディスク回転装置３は、ディスク挿入口２２ａから筐体内部２４に挿入された図示しないディスクを回転し、この回転するディスクに記録されている情報を読み込むものである。この実施例では、このディスク回転装置３は、ディスクを回転する図示しないスピンドルモータと、この回転するディスクに記録されている情報の読み込みを行う図示しないピックアップ装置と、筐体内部２４に挿入されたディスクをディスク再生位置まで移動させ、このディスク再生位置に位置したディスクを外部に搬出する図示しないローディング装置とを備える。
【００４４】
このディスク回転装置３は、図１〜図６に示すように、筐体内部２４のディスク挿入口２２ａと対向する位置に配置されるものである。このディスク回転装置３は、その外周面が金属板により構成されており、ディスク挿入口２２ａと対向する面３ａおよび上蓋２３と対向する図示しない面が閉塞されずに開口している。このディスク回転装置３は、シャーシ２１の側面部２１ａ，ｂに固定手段、例えばスクリューを螺合することで、このシャーシ２１に固定される。このとき、ディスク挿入口２２ａと対向する面３ａは、露出板２２によって閉塞される。また、上蓋２３と対向する図示しない面は、上蓋２３と間に配置された例えばスポンジやゴムパッキンなどの密閉部材６によって、閉塞される。従って、ディスク回転装置３が筐体内部２４にこの筐体内部２４に対して略密閉して配置されるので、各吸入口２１ｅから吸入された空気に塵埃が含まれていても、ディスク回転装置３の内部にこの塵埃が入り込むことを抑制することができる。
【００４５】
このディスク回転装置３の上記上蓋２３と対向する図示しない面の反対側の面、すなわち制御装置５と対向する面Ｂは、略平坦に形成されている。従って、各吸入口２１ｅから筐体内部２４に吸入された空気は、制御装置５と対向する面Ｂ上を円滑に各排出口２１ｆに向かって流れることができる。これにより、ディスク装置１の動作時に、このディスク回転装置３の制御装置５と対向する面Ｂを介して、ディスク回転装置３の熱が筐体内部２４を通過する空気に伝達されやすくなる。これにより、筐体内部２４を通過する空気により、ディスク回転装置３を十分に冷却することができる。
【００４６】
また、この制御装置５と対向する面Ｂには、開口部３ｂ（この実施例では、２箇所）が形成されている。この各開口部３ｂからは、ケーブル３１がディスク回転装置３の外部に延在している。この各開口部３ｂは、ディスク回転装置３と筐体内部２４と連通するものである。各開口部３ｂは、制御装置５と対向する面Ｂに固定することができるシートなどの閉塞部材３２により閉塞されている。なお、各ケーブル３１は、ディスク回転装置３が備える上記各装置を制御する制御装置５とこの各装置とを接続するためのものである。
【００４７】
ここで、ディスク回転装置３は、挿入されたディスクを回転することで、その内部に空気の流れが発生する。この空気の流れは、回転するディスクの外周端部から中心に向かって流れるものであるため、ディスク回転装置３に筐体内部２４と連通する開口部３ｂがある場合は、その開口部３ｂから筐体内部２４の空気がこのディスク回転装置３に吸入されることとなる。従って、筐体内部２４の空気に塵埃が含まれている場合は、この開口部３ｂからディスク回転装置３の内部に塵埃が入り込む虞がある。しかしながら、この実施例では、各開口部３ｂを閉塞部材３２によってそれぞれ閉塞するので、ディスクがディスク回転装置３によって回転することで、筐体内部２４からこのディスク回転装置３に各吸入口２１ｅから吸入された空気が吸引されることを抑制することができる。従って、ディスク回転装置３の内部に塵埃が入り込むことをさらに抑制することができる。
【００４８】
ファン４は、各吸入口２１ｅから筐体内部２４に吸入された空気をこの筐体内部２４から各排出口２１ｆを介して外部に強制的に排出するものである。このファン４は、本体部４１と、回転部４２とにより構成されている。本体部４１は、筐体内部２４に、背面部２１ｃの各排出口２１ｆと対向するように取り付けられている。この本体部４１は、収納部４１ａが形成されている。この収納部４１ａは、各排出口２１ｆと連通しているため、筐体内部２４の空気は、この収納部４１ａおよび各排出口２１ｆを介して外部に排出される。回転部４２は、収納部４１ａに回転自在に支持され、収納されている。この回転部４２は、複数のフィン４２ａ（この実施例では、４つ）が形成されており、この回転部４２が備える図示しないモータなどにより回転するものである。回転部４２が回転すると、複数のフィン４２ａにより、筐体内部２４の空気がファン４に吸引され、各排出口２１ｆを介して、外部に強制的に排出される。このとき、筐体内部２４と外部とに気圧差が発生するため、各吸入口２１ｅから外部の空気が筐体内部２４に吸入される。
【００４９】
制御装置５は、ディスク装置１の動作を制御するものである。この実施例では、この制御装置５は、ディスク回転装置３の図示しないスピンドルモータによる図示しないディスクの回転制御や、図示しないピックアップ装置による回転するディスクに記録されている情報の読込制御や、図示しないローディング装置の駆動制御や、ファン４の駆動制御などを行うものである。
【００５０】
この制御装置５は、図１〜図５に示すように、筐体内部２４のうち、ディスク回転装置３に対向する位置に配置されるものである。この制御装置５は、基板部５１と、平坦部材５２と、図示しない電子部品群と、突出電子部品５３と、ディスク回転装置３の各ケーブル３１が接続される接続コネクタ５４とから構成されている。基板部５１は、上記図示しない電子部品群や突出電子部品５３や接続コネクタ５４を搭載、すなわち実装するためのものであり、底面部２１ｄをほぼ覆う広さに形成されている。この基板部５１の中央部には、図示しない電子部品群が実装されている。この電子部品群は、上記突出電子部品５３と比較して、ディスク回転装置側に突出していない電子部品である。
【００５１】
平坦部材５２は、金属板で構成されており、上記ディスク回転装置３の制御装置５と対向する面Ｂと対向するように、基板部５１に固定されている。上記中央部に実装された図示しない電子部品群は、この平坦部材５２により覆われている。この平坦部材５２は、制御装置５と対向する面、すなわち制御装置５のディスク回転装置３と対向する面Ｃが略平坦に形成されている。つまり、従って、各吸入口２１ｅから筐体内部２４に吸入された空気は、ディスク回転装置３と対向する面Ｃ上を円滑に各排出口２１ｆに向かって流れることができる。これにより、ディスク装置１の動作時に、この制御装置５のディスク回転装置３と対向する面Ｃを介して、図示しない電子部品群が発熱することで発生する制御装置５の熱が筐体内部２４を通過する空気に伝達されやすくなる。これにより、筐体内部２４を通過する空気により、制御装置５を十分に冷却することができる。また、この図示しない電子部品群の電子部品間などに塵埃が溜まることで、制御装置５に塵埃が付着することを抑制することができる。これにより、ディスク装置１の動作不良を抑制することができる。
【００５２】
突出電子部品５３は、制御装置５に実装され、ディスク回転装置側に突出する電子部品のうち、上記図示しない電子部品群よりも突出する電子部品である。この突出電子部品５３は、基板部５１のうち、上記図示しない電子部品群が実装されている中央部よりも端部近傍に配置されている。つまり、突出電子部品５３は、基板部５１の端部近傍のうち、上記各吸入口２１ｅから吸入され、各排出口２１ｆから外部に排出される空気の流れ（矢印Ａ）を妨げない位置に配置されている。従って、各吸入口２１ｅから吸入された空気がディスク回転装置３と制御装置５との間を通過する際に、この突出電子部品５３に衝突し難くなる。これにより、筐体内部２４の空気の流れが滞ることを抑制することができる。
【００５３】
ディスク装置１が動作を開始し、制御装置５によりファン４の駆動制御が開始され、ファン４が回転すると、矢印Ａに示すように、各吸入口２１ｅから外部の空気が筐体内部２４に吸入される。この筐体内部２４に吸入された空気は、筐体内部２４、すなわちディスク回転装置３と制御装置５との間を通過する。この筐体内部２４を通過した空気は、各排出口２１ｆを介して外部に排出される。ディスク回転装置３および制御装置５のうち、空気が通過する部分であるディスク装置３の制御装置５と対向する面Ｂおよび制御装置５のディスク回転装置３と対向する面Ｃは、この空気の流れに沿った略平坦構造であるため、各吸入口２１ｅから吸入された空気は、ディスク回転装置３と制御装置５との間を円滑に通過することができる。つまり、ディスク回転装置３と制御装置５との間に空気が滞る部分が発生することを抑制することができる。これにより、筐体内部２４を通過する空気による冷却効果を十分に発揮することができる。また、上述のように、ディスク回転装置３は、筐体内部２４に対して略密閉されているため、ディスク回転装置３の内部に塵埃が入り込むことを抑制することができ、筐体内部２４に流入する塵埃による影響を抑制することができる。
【００５４】
なお、上記実施例では、吸入口を側面部２１ａ，ｂの露出板２２近傍に形成したがこの発明はこれに限定されるものではない。例えば、底面部２１ｄの側面部２１ａ，ｂの近傍に形成しても良い。また、底面部２１ｄから側面部２１ａ，ｂにかけて形成しても良い。また、側面部２１ａ，ｂのうち、露出板２２近傍以外に形成しても良い。さらに、各吸入口２１ｅ以外にこの各吸入口２１ｅから離れた位置に他の吸入口を形成しても良い。
【００５５】
また、上記実施例では、平坦部材５２を金属板で構成したがこの発明はこれに限定されるものではない。例えば、制御装置５の基板部５１などに固定することができるシートであっても良い。また、金属板とシートを併用しても良い。
【００５６】
また、上記実施例では、吸入口の面積である各吸入口２１ｅの総面積が排出口の面積である各排出口２１ｆの総面積以上であることが好ましい。各吸入口２１ｅの総面積が各排出口２１ｆの総面積よりも大幅に狭いとファン４の駆動中における筐体内部２４と外部との気圧差が大きくなる。ファン４は、筐体内部２４の気圧が低くなるほど空気抵抗が減少し、回転数が上昇する。従って、各吸入口２１ｅの総面積が各排出口２１ｆの総面積よりも大幅に狭いと、ファン４の回転数が上昇することによる騒音が増大する虞がある。従って、各吸入口２１ｅの総面積を各排出口２１ｆの総面積以上とすることで、ファン４の駆動中における筐体内部２４と外部との気圧差を低減することができる。これにより、筐体内部２４の気圧が外部の気圧よりも低い場合と比較して、同一吐出量におけるファン４の回転数を低減することができ、ファンの騒音を抑制することができる。
【００５７】
以上のように、この実施例によれば、ディスク装置１の前面に形成され、かつディスクを外部から筐体内部２４に挿入するディスク挿入口２２ａと、外部から筐体内部２４に空気を吸入する各吸入口２１ｅと、筐体内部２４に吸入された空気を外部に排気する各排出口２１ｆとを有する筐体２と、筐体内部２４のうち、ディスク挿入口２２ａに対向する位置に、筐体内部２４に対して略密閉して配置され、ディスク挿入口２２ａから挿入されたディスクを回転し、少なくとも回転するディスクに記録されている情報を読み込むディスク回転装置３と、筐体内部２４から各排出口２１ｆを介して外部に各吸入口２１ｅから吸入された空気を強制的に排出するファン４と、筐体内部２４のうち、ディスク回転装置３に対向する位置に配置され、少なくともディスク回転装置３によるディスクの回転制御、回転するディスクに記録されている情報の読込制御およびファン４の駆動制御を行う制御装置５と、を備えるディスク装置１において、各吸入口２１ｅおよび各排出口２１ｆは、筐体２のうち、各吸入口２１ｅから吸入された空気がディスク回転装置３と制御装置５との間を通過し、各排出口２１ｆから排出できる位置に形成され、ディスク回転装置３および制御装置５のうち、空気が通過する部分が空気の流れに沿って略平坦構造とする。これにより、筐体内部に流入する塵埃による影響を抑制しつつ、筐体内部を通過する空気による冷却効果を十分に発揮することができる。
【産業上の利用可能性】
【００５８】
以上のように、この発明にかかるディスク装置は、筐体内部から空気を強制的に排出するファンを備えるディスク装置に有用であり、特に、筐体内部に流入する塵埃による影響を抑制しつつ、筐体内部を通過する空気による冷却効果を十分に発揮するのに適している。
【図１】
0004652419.tif 000002
【図２】
0004652419.tif 000003
【図３】
0004652419.tif 000004
【図４】
0004652419.tif 000005
【図５】
0004652419.tif 000006
【図６】
0004652419.tif 000007
【図７】
0004652419.tif 000008